(57)【要約】【課題】  カムや係合部材、ばね等の消耗部材が摩耗又は破損しても、簡単にこれら消耗部材を交換することのできる簡単な構成の跳ね上げ機構を提供する。【解決手段】  眼鏡レンズを所定の跳ね上げ位置で固定する眼鏡レンズの跳ね上げ機構において、眼鏡フレームの固定部に設けられた本体３０と、前記眼鏡レンズに取り付けられ、前記本体に対して回転自在に支持されたカム３４と、このカムに向けて前記本体に穿設された孔３０ａと、この孔に挿入して取り付けられるホルダ３１と、このホルダに保持される弾性部材３２及びこの弾性部材によって前記カムに押し付けられる係合部材３３と、前記カムに形成され、前記係合部材と係合することで前記カムの回転を規制する被係合部３４ａとを有する。【選択図】  図２
2010276702.tif 000002
【特許請求の範囲】
【請求項１】
眼鏡レンズを所定の跳ね上げ位置で固定する眼鏡レンズの跳ね上げ機構において、
眼鏡フレームの固定部に設けられた本体と、
前記眼鏡レンズに取り付けられ、前記本体に対して回転自在に支持されたカムと、
このカムに向けて前記本体に穿設された孔と、
この孔に挿入して取り付けられるホルダと、
このホルダに保持される弾性部材及びこの弾性部材によって前記カムに押し付けられる係合部材と、
前記カムに形成され、前記係合部材と係合することで前記カムの回転を規制する被係合部と、
を有することを特徴とする眼鏡レンズの跳ね上げ機構。
【請求項２】
前記ホルダが筒状に形成され、前記ホルダの内部に前記弾性部材と前記係合部材とを挿入して保持させたことを特徴とする請求項１に記載の眼鏡レンズの跳ね上げ機構。
【請求項３】
前記孔が、前記カムの回転軸に対して直交する方向に形成されていることを特徴とする請求項１又は２に記載の眼鏡レンズの跳ね上げ機構。
【請求項４】
前記係合部材を前記カムよりも軟質の材料で形成したことを特徴とする請求項１〜３のいずれかに記載の眼鏡レンズの跳ね上げ機構。
【発明の詳細な説明】
【技術分野】
【０００１】
本発明は、眼鏡レンズを所定の跳ね上げ位置で固定する跳ね上げ機構に関し、特に、跳ね上げ機構を構成する消耗部材の交換が極めて容易な眼鏡レンズの跳ね上げ機構の改良に関する。
【背景技術】
【０００２】
眼鏡（補助眼鏡を含む）のフロント部に装着した眼鏡レンズを、適宜に跳ね上げて所定位置に固定する跳ね上げ機構が知られている。
この種の跳ね上げ機構の中には、眼鏡レンズの跳ね上げ方向に回転するカムと、このカムの周面に形成された被係合部と係合する係合部材と、この係合部材を前記被係合部に押し付ける弾性部材とを有する構成のものがある（特許文献１〜５参照）。
このうち、特許文献１〜３に記載のものは、カムと係合部材とが跳ね上げ方向に回転する軸と同方向からの弾性力により互いに付勢されるものであり、特許文献４，５に記載のものは、カムに対して係合部材が前記軸と直交する方向から付勢されるものである。
【０００３】
ところで、跳ね上げ式の眼鏡においては、眼鏡レンズを頻繁に上げ下げすることが多く、その回数は年間数万回に達することがある。そのため、カムや係合部材が摩耗して眼鏡レンズにがたが生じたり、眼鏡レンズを所定位置に固定できなくなったりするほか、ばねの疲労折損により跳ね上げ機構が使えなくなるという不具合が生じる。
このような場合、特許文献１〜５に記載の跳ね上げ機構では、跳ね上げ機構そのものを交換するか、眼鏡を新しいものに買い換える必要があった。
【先行技術文献】
【特許文献】
【０００４】
【特許文献１】特開２００６−１６２９０５公報
【特許文献２】特開２００１−９１９０２公報
【特許文献３】特開平９−６８６７７号公報
【特許文献４】実開平５−２５４２３号公報
【特許文献５】特開２００７−３２８３０７号公報
【発明の開示】
【発明が解決しようとする課題】
【０００５】
本発明は、上記の問題に鑑みてなされたもので、カムや係合部材、ばね等の消耗部材が摩耗又は破損しても、簡単にこれら消耗部材を交換することのできる簡素な構成の跳ね上げ機構の提供を目的とする。
【課題を解決するための手段】
【０００６】
上記課題を解決するために、請求項１に記載の発明は、眼鏡レンズを所定の跳ね上げ位置で固定する眼鏡レンズの跳ね上げ機構において、眼鏡フレームの固定部に設けられた本体と、前記眼鏡レンズに取り付けられ、前記本体に対して回転自在に支持されたカムと、このカムに向けて前記本体に穿設された孔と、この孔に挿入して取り付けられるホルダと、このホルダに保持される弾性部材及びこの弾性部材によって前記カムに押し付けられる係合部材と、前記カムに形成され、前記係合部材と係合することで前記カムの回転を規制する被係合部とを有する構成としてある。
請求項２に記載するように、前記ホルダを筒状に形成し、前記ホルダの内部に前記弾性部材と前記係合部材とを挿入して保持させた構成とするとよい。
前記弾性部材としては、コイルばねを用いることができ、コイルばねを用いた場合は、ピンやボールで形成された係合部材をコイルばねの先端に保持させることができる。
上記構成の跳ね上げ機構によれば、係合部材が摩耗したり弾性部材が折損したりしたときは、ホルダごと本体から係合部材と弾性部材とを取り外し、新しいものと交換することができる。
本発明においては、請求項３に記載するように、前記孔を、前記カムの回転軸に対して直交する方向に形成するとよい。このようにすることで、ホルダの着脱がより容易になるほか、跳ね上げ機構を小型にすることができる。
また、本発明においては、請求項４に記載するように、前記係合部材を前記カムよりも軟質の材料で形成するとよい。このようにすることで、眼鏡レンズ側に取り付けられたカムの摩耗を抑制し、係合部材と弾性部材の交換を繰り返すことで、跳ね上げ機構の寿命を長くすることができる。
【発明の効果】
【０００７】
本発明によれば、カムや係合部材、ばね等の消耗部材が摩耗又は破損しても、簡単にこれら消耗部材を交換することができる。また、その構成も簡単でコストも安く、長期に亘って跳ね上げ機構を備えた眼鏡の性能を維持することができる。
【発明を実施するための最良の形態】
【０００８】
以下、本発明の好適な実施形態を、図面を参照しながら詳細に説明する。
図１は、本発明の跳ね上げ機構を備えた眼鏡の一実施形態にかかり、その全体構成を説明する斜視図である。
なお、この実施形態では、眼鏡のフロントフレームに取り付けた補助眼鏡のレンズを本発明の跳ね上げ機構により跳ね上げ自在としたものを例に挙げて説明する。
【０００９】
眼鏡１は、レンズ１４を保持するフロントフレーム１３と、このフロントフレーム１３の両端に設けられた智１２と、テンプル１１を折り畳み自在に智１２に連結するヒンジ１５とを有している。眼鏡１の前面に取り付けられる補助眼鏡２は、フレーム２３と、このフレーム２３に保持されたレンズ２４とを有している。
本発明の跳ね上げ機構３は、フロントフレーム１３と補助眼鏡２のフレーム２３との間に設けられ、跳ね上げ機構３により補助眼鏡２のレンズ２４をフレーム２３とともに眼鏡１に対して跳ね上げることができるようになっている。
【００１０】
図２及び図３は、図１の跳ね上げ機構３を詳細に説明する図で、図２（ａ）は組み立てた状態の断面側面図、図２（ｂ）は組み立てた状態の断面平面図、図３（ａ）は分解側面図、図３（ｂ）は分解平面図である。
【００１１】
跳ね上げ機構３は、眼鏡１のフロントフレーム１３に取り付けられる本体３０と、この本体３０に螺着されるホルダ３１と、このホルダ３１に保持される圧縮コイルばね３２（以下、ばね３２と記載する）及び係合部材３３と、補助眼鏡２のフレーム２３に取り付けられたカム３４と、このカム３４を本体３０に対して回転自在に取り付ける軸３５とを有している。
【００１２】
本体３０は、一端（図の左端）側にカム３４を挿入するための凹溝３０ｄが形成されている。本体３０の軸線と直交する方向（図２及び図３の紙面に直交する方向）には、凹溝３０ｄを横断して軸３５が挿入・支持される軸孔３０ｃが形成されている。なお、凹溝３０ｄの両側に位置する軸孔３０ｃ，３０ｃのうち、一方の軸孔は螺旋孔として形成される（図では符号３０ｅで示す）。また、前記軸線上には本体３０の他端（図の右端）から凹溝３０ｄまで貫通する孔３０ａが形成され、孔３０ａの内周面には、孔３０ａの他端から途中部位まで螺旋部３０ｂが形成されている。本体３０とフロントフレーム１３とは一体に形成されていてもよいが、フロントフレーム１３と別体に形成された本体３０を、フロントフレーム１３に銀ロー付け等で固着してもよい。
【００１３】
ホルダ３１には、一端側から他端の近傍まで有底の保持孔３１ａが形成されているとともに、外周面には本体３０の螺旋部３０ｂと螺合する螺旋部３１ｂが形成されている。ばね３２は保持孔３１ａに嵌挿されるが、嵌挿されたばね３２が保持孔３１ａ内で自在に伸縮できるように、保持孔３１ａの内径はばね３２の外径よりも若干大径に形成される。
係合部材３３は、ばね３２の端面と当接するフランジ部３３ｃと、このフランジ部３３ｃの他面中央に突設され、ばね３２を嵌装する軸部３３ｂと、フランジ部３３ｃの一面側に形成されカム３４と係合する半球状の係合凸部３３ａとを有している。本体３０の孔３０ａ及びホルダ３１の保持孔３１ａは、その内径の一部をフランジ部３３ｃの外径とほぼ同じ大きさに形成して、係合部材３３の進退移動が、フランジ部３３ｃと孔３０ａの内周面又は保持孔３１ａの内周面との摺接によって案内されるようにするとよい。
【００１４】
カム３４は、補助眼鏡２のフレーム２３に一体に形成されていてもよいが、フフレーム２３と別体に形成されたカム３４を、フレーム２３に銀ロー付け等で固着するものとしてもよい。カム３４の回転中心には、軸３５を挿入するための軸孔３４ｂが形成され、カム３４の外周面には、係合部材３３の係合凸部３３ａと係合する被係合部としての係合凹部３４ａが形成されている。係合凹部３４ａは、係合凸部３３ａと係合することで、補助眼鏡２のレンズ２４を眼鏡１のレンズ１４の前面に対向させた使用位置と、レンズ１４の前面から跳ね上げた跳ね上げ位置の二カ所で位置決めできるように、カム３４の外周面の少なくとも二カ所に形成する。もちろん、前記使用位置と前記跳ね上げ位置との間の一カ所又は複数箇所で位置決めできるように、カム３４の外周面の三カ所以上に形成してもよい。
【００１５】
カム３４を本体３０に対して回転自在にする軸３５は、先端に螺旋部を有するボルト状に形成され、カム３４の軸孔３４ｂに挿入されるスリーブ３６が外嵌される。軸３５及びスリーブ３６は、本体３０の軸孔３０ｃに挿入された後、カム３４の軸孔３４ｂに挿入される。この後、軸３５の先端の螺旋部を螺旋孔３０ｅに螺入して締め付けることで、軸３５が本体３０に取り付けられ、カム３４が本体３０に対して回転自在になる。
なお、カム３４は係合部材３３の係合凸部３３ａよりも硬質の材料で形成するのがよく、例えばカム３４をチタン材で形成し、係合凸部３３ａを洋白，真鍮，ステンレス等で形成するとよい。このようにすることで、カム３４を摩耗しにくくすることができる。
【００１６】
上記構成の跳ね上げ機構３は、以下の手順で組み立てることができる。
まず、本体３０の凹溝３０ｄにカム３４を挿入し、軸孔３４ｂと軸孔３０ｃの位置合わせを行って、軸３５を軸孔３０ｃ及び軸孔３４ｂに挿入する。この後、軸３５の先端を螺旋孔３０ｅに螺入して、軸３５が脱落しないようにする。
次に、ホルダ３１の保持孔３１ａ内にばね３２を嵌装させた係合部材３３を挿入して保持させる。
そして、ホルダ３１，ばね３２及び係合部材３３を本体３０の孔３０ａ内に挿入し、ホルダ３１のマイナス溝３１ｃにマイナスドライバ等の工具を係合させて回転させ、螺旋部３１ｂを螺旋部３０ｂに螺合させて締め付ける。
【００１７】
上記構成の跳ね上げ機構３は以下のように作用する。
補助眼鏡２のレンズ２４を眼鏡１のレンズ１４の前面に位置させた使用位置では、係合部材３３の係合凸部３３ａがカム３４の一方の係合凹部３４ａに係合している。このとき、係合凸部３３ａはばね３２の付勢力により一方の係合凹部３４ａに押し付けられているので、補助眼鏡２のレンズ２４が眼鏡１に対してがたついたり、位置がずれたりすることはない。
【００１８】
補助眼鏡２のレンズ２４を眼鏡１のレンズ１４に対して跳ね上げる際には、ばね３２の付勢力に抗して補助眼鏡２のレンズ２４を跳ね上げ方向に回転させればよい。これにより、係合部材３３がホルダ３１の保持孔３１ａ内に引っ込む方向に移動して係合凸部３３ａと係合凹部３４ａとの係合が解除される。補助眼鏡２のレンズ２４をさらに跳ね上げ方向に回転させ、係合凸部３３ａが他方の係合凹部３４ａに係合すると、カチッという手応えでレンズ２４が跳ね上げ位置で固定される。使用位置のときと同様に、係合凸部３３ａはばね３２の付勢力により他方の係合凹部３４ａに押し付けられているので、補助眼鏡２のレンズ２４が眼鏡１に対してがたついたり、位置がずれたりすることはない。
【００１９】
跳ね上げ動作を多数回繰り返すことでばね３２にへたりや折損が生じたり、係合凸部３３ａに摩耗が生じたりすると、使用位置及び跳ね上げ位置で補助眼鏡２のレンズ２４にがたがや位置ずれが発生するようになる。
このような不都合が生じた場合は、マイナスドライバ等の工具を使って先に説明した組立手順とは逆の手順でホルダ３１，ばね３２及び係合部材３３を本体３０から取り外し、ばね３２及び／又は係合部材３３を新しいものと交換する。本発明では、ホルダ３１を本体３０から取り外すだけで、ホルダ３１とともに消耗部品であるばね３２及び係合部材３３を取り外すことができ、かつ、ホルダ３１とともに新しいばね３２及び係合部材３３を本体３０に再装着することができるので、消耗部品の交換作業が極めて容易であり、跳ね上げ機構を備えた眼鏡の性能を長期に亘って維持することができるという利点がある。
【００２０】
本発明の好適な実施形態について説明したが、本発明の接続構造は上記のものに限られない。
例えば、係合部材３３の形態は上記のものに限られない。図４（ａ）に示すように、球状の係合部材４３をばね３２の先端に配置し、ばね３２の付勢力で係合部材４３をカム３４の係合凹部３４ａに係合させるようにしてもよい。
また、カム３４の形態は上記のものに限られない。図４（ｂ）に示すように、平坦状に形成された係合面４４ａをカム４４の外周面の複数箇所に形成し、この係合面４４ａにばね３２の付勢力によって球状の係合部材５３を押し付けるようにしてもよい。なお、この場合、係合部材５３には、図示するように球体の一部を切り欠いて係合面４４ａと面接触する平面部を形成するとよい。
さらに、上記の説明で跳ね上げ機構３は眼鏡１のフロントフレーム１３に設けるものとして説明したが、レンズ２４の跳ね上げが可能であれば、例えばブリッヂや智など他の部分に設けるものとしてもよい。
また、本発明では、カム３４の回転軸と平行な方向から係合部材３３をカム３４に押し付けるようにしてもよいが、上記の実施形態で説明したように前記回転軸に対して直交する方向から係合部材３３をカム３４に押し付けるようにすることで、跳ね上げ機構を小型にできるという利点がある。
【産業上の利用可能性】
【００２１】
本発明は、跳ね上げ機構を設ける眼鏡であれば広範に適用が可能で、上記した補助眼鏡２のレンズ２４の跳ね上げ機構に限らず、眼鏡１のレンズ１４の跳ね上げ機構にも適用が可能である。
【図面の簡単な説明】
【００２２】
【図１】本発明の跳ね上げ機構を備えた眼鏡の一実施形態にかかり、その全体構成を説明する斜視図である。
【図２】図１の跳ね上げ機構を詳細に説明する図で、図２（ａ）は組み立てた状態の断面側面図、図２（ｂ）は組み立てた状態の断面平面図である。
【図３】図１の跳ね上げ機構を詳細に説明する図で、図３（ａ）は分解側面図、図３（ｂ）は分解平面図である。
【図４】カムと係合部材との他の例を示す説明図である。
【符号の説明】
【００２３】
１        眼鏡
１１      テンプル
１２      智
１３      フロントフレーム
１４      レンズ
１５      ヒンジ
２        補助眼鏡
２３      フレーム
２４      レンズ
３        跳ね上げ機構
３０      本体
３０ａ    孔
３０ｂ    螺旋部
３０ｃ    軸孔
３０ｄ    凹溝
３０ｅ    螺旋孔
３１      ホルダ
３１ａ    保持孔
３１ｂ    螺旋部
３１ｃ    マイナス溝
３２      圧縮コイルばね
３３      係合部材
３３ａ    係合凸部
３３ｂ    軸部
３４      カム
３４ａ    係合凹部
３４ｂ    軸孔
３５      軸
３６      スリーブ
【図１】
2010276702.tif 000003
【図２】
2010276702.tif 000004
【図３】
2010276702.tif 000005
【図４】
2010276702.tif 000006